(57)【要約】【課題】装入した被乾燥物が装入口から漏れ出ることを抑制できるロータリードライヤのコンベアおよびコンベアカバーを提供する。【解決手段】ロータリードライヤ２の内筒管２３に挿入されたコンベア１であって、コンベア本体１１の両側部に設けられた一対のコンベアカバー１３を備え、コンベアカバー１３は、コンベア本体１１の側部をその上方から下方にかけて内筒管２３の内面に沿って円弧状に覆うとともに、コンベア本体１１の側部と内筒管２３の内面との隙間をその内面に接触することなく狭める形状を有する。コンベア本体１１の側部と内筒管２３の内面との隙間が狭められるので、被乾燥物Ｘが内筒管２３の内面に沿って回転方向に上昇するのを促し、装入口２２から漏れ出ることを抑制できる。【選択図】図１
2018054219.tif 000002
【特許請求の範囲】
【請求項１】
ロータリードライヤの内筒管に挿入されたコンベアであって、
コンベア本体と、
前記コンベア本体の両側部に設けられた一対のコンベアカバーと、を備え、
前記コンベアカバーは、前記コンベア本体の側部をその上方から下方にかけて前記内筒管の内面に沿って円弧状に覆うとともに、前記コンベア本体の側部と前記内筒管の内面との隙間を該内面に接触することなく狭める形状を有する
ことを特徴とするロータリードライヤのコンベア。
【請求項２】
前記コンベアカバーは、前記コンベア本体に沿う方向に前記内筒管と略同じ長さを有し、その略全長が前記内筒管に挿入されている
ことを特徴とする請求項１記載のロータリードライヤのコンベア。
【請求項３】
前記一対のコンベアカバーは、前記コンベア本体の上部を覆わないように配置されている
ことを特徴とする請求項１または２記載のロータリードライヤのコンベア。
【請求項４】
前記コンベア本体の終端部の両側部に沿って立設された一対のヘッドカバーを備え、
前記コンベアカバーは、その上縁が前記ヘッドカバーに接触し、該ヘッドカバーを外側から覆うように配置されている
ことを特徴とする請求項１、２または３記載のロータリードライヤのコンベア。
【請求項５】
ロータリードライヤの内筒管に挿入されたコンベアのコンベア本体に設けられ、
前記コンベア本体の側部をその上方から下方にかけて前記内筒管の内面に沿って円弧状に覆うとともに、前記コンベア本体の側部と前記内筒管の内面との隙間を該内面に接触することなく狭める形状を有する
ことを特徴とするロータリードライヤのコンベアカバー。
【請求項６】
前記コンベア本体に沿う方向に前記内筒管と略同じ長さを有し、その略全長が前記内筒管に挿入されている
ことを特徴とする請求項５記載のロータリードライヤのコンベアカバー。
【請求項７】
前記コンベア本体の上部を覆わないように配置されている
ことを特徴とする請求項５または６記載のロータリードライヤのコンベアカバー。
【発明の詳細な説明】
【技術分野】
【０００１】
本発明は、ロータリードライヤのコンベアおよびコンベアカバーに関する。さらに詳しくは、硫化精鉱などの被乾燥物をロータリードライヤに装入した際に、装入した被乾燥物が装入口から漏れ出ることを抑制するためのロータリードライヤのコンベアおよびコンベアカバーに関する。
【背景技術】
【０００２】
一般に、銅製錬の原料である硫化精鉱には水分が１０重量％程度含まれているため、硫化精鉱を乾燥させて水分１重量％以下の乾燥精鉱とした後に、この乾燥精鉱を用いて熔錬が行われる。例えば、図４に示すように、水分１０重量％程度の硫化精鉱はロータリースチームドライヤ２に装入され、水分１重量％以下まで乾燥されて乾燥精鉱となる。乾燥精鉱はシュート３を通ってフライトコンベア４に装入され、フライトコンベア４によって流送設備５まで搬送される。そして、乾燥精鉱は流送設備５によって精鉱ビン６に流送され蓄積された後に、熔錬炉７に供給される。
【０００３】
流送設備５は乾燥精鉱を気流で搬送するため、流送設備５と接続されているフライトコンベア４はケーシングで囲まれた気密構造となっている。また、フライトコンベア４には、乾燥精鉱とともに、ロータリースチームドライヤ２からの水蒸気も流入する。そのため、フライトコンベア４はバグフィルター８と接続されており、ケーシング中に浮遊している乾燥精鉱の粉塵とともに水蒸気がバグフィルター８に吸引されるようになっている。バグフィルター８に吸引された水蒸気は系外に排出され、乾燥精鉱の粉塵は再びフライトコンベア４に戻される。
【０００４】
硫化精鉱はベルトコンベアによりロータリースチームドライヤ２に装入されるが、ロータリースチームドライヤ２の内部に装入された硫化精鉱が装入口２２から外部に漏れ出る場合がある。このように装入口２２から漏れ出た硫化精鉱を「漏れ鉱」と称する。例えば、硫化精鉱の装入量が急激に変動すると漏れ鉱が生じる場合がある。また、硫化精鉱の平均的な水分は１０重量％程度であるが５〜１２重量％の幅で変動する。硫化精鉱の含水率が変動すると流動性も変化して漏れ鉱が生じる場合がある。漏れ鉱の量は一定ではなく、状況に応じて変動し、場合によっては装入量を低減せざるを得ない状況となる。
【０００５】
ロータリースチームドライヤ２の装入口２２の下方には漏れ鉱コンテナが設けられており、漏れ鉱を回収している。漏れ鉱コンテナに回収された硫化精鉱は、原料を貯蔵するヤードに運ばれ原料に混ぜられる。しかし、このような回収方法は、生産管理上非常にロスが大きく、また粉塵発生の原因となり設備環境が悪くなるという問題がある。
【０００６】
特許文献１には、ロータリースチームドライヤの装入口に設けられるシール装置が開示されている。このシール装置は、ロータリースチームドライヤの回転胴部の内部に外気が侵入することを防止することを目的として、回転胴部を気密に封止している。しかし、被乾燥物が装入口から漏れ出ることを抑制する技術は開示されていない。
【先行技術文献】
【特許文献】
【０００７】
【特許文献１】特開２００４−０５３２１７号公報
【発明の概要】
【発明が解決しようとする課題】
【０００８】
本発明は上記事情に鑑み、装入した被乾燥物が装入口から漏れ出ることを抑制できるロータリードライヤのコンベアおよびコンベアカバーを提供することを目的とする。
【課題を解決するための手段】
【０００９】
第１発明のロータリードライヤのコンベアは、ロータリードライヤの内筒管に挿入されたコンベアであって、コンベア本体と、前記コンベア本体の両側部に設けられた一対のコンベアカバーと、を備え、前記コンベアカバーは、前記コンベア本体の側部をその上方から下方にかけて前記内筒管の内面に沿って円弧状に覆うとともに、前記コンベア本体の側部と前記内筒管の内面との隙間を該内面に接触することなく狭める形状を有することを特徴とする。
第２発明のロータリードライヤのコンベアは、第１発明において、前記コンベアカバーは、前記コンベア本体に沿う方向に前記内筒管と略同じ長さを有し、その略全長が前記内筒管に挿入されていることを特徴とする。
第３発明のロータリードライヤのコンベアは、第１または第２発明において、前記一対のコンベアカバーは、前記コンベア本体の上部を覆わないように配置されていることを特徴とする。
第４発明のロータリードライヤのコンベアは、第１、第２または第３発明において、前記コンベア本体の終端部の両側部に沿って立設された一対のヘッドカバーを備え、前記コンベアカバーは、その上縁が前記ヘッドカバーに接触し、該ヘッドカバーを外側から覆うように配置されていることを特徴とする。
第５発明のロータリードライヤのコンベアカバーは、ロータリードライヤの内筒管に挿入されたコンベアのコンベア本体に設けられ、前記コンベア本体の側部をその上方から下方にかけて前記内筒管の内面に沿って円弧状に覆うとともに、前記コンベア本体の側部と前記内筒管の内面との隙間を該内面に接触することなく狭める形状を有することを特徴とする。
第６発明のロータリードライヤのコンベアカバーは、第５発明において、前記コンベア本体に沿う方向に前記内筒管と略同じ長さを有し、その略全長が前記内筒管に挿入されていることを特徴とする。
第７発明のロータリードライヤのコンベアカバーは、第５または第６発明において、前記コンベア本体の上部を覆わないように配置されていることを特徴とする。
【発明の効果】
【００１０】
第１発明によれば、コンベアカバーによりコンベア本体の側部と内筒管の内面との隙間が狭められるので、被乾燥物が内筒管の内面に沿って回転方向に上昇するのを促すことができる。その結果、被乾燥物の装入口方向への流動が小さくなり、装入口から漏れ出ることを抑制できる。
第２発明によれば、コンベア本体の側部と内筒管の内面との隙間が内筒管の略全長に渡って狭められるので、広い隙間を有する部分がより短くなり被乾燥物が内筒管の内面に沿って回転方向に上昇するのを効果的に促すことができる。その結果、被乾燥物の装入口方向への流動が小さくなり、装入口から漏れ出ることを抑制できる。
第３発明によれば、コンベア本体の上部が覆われないので、コンベアカバーの高さを超えて上昇した被乾燥物は搬送面に再び戻り、コンベア本体の終端に向けて再び搬送される。そのため、被乾燥物が無駄とならない。
第４発明によれば、ヘッドカバーにより内筒管の内面から落下する被乾燥物がコンベア本体の側部から内部に入り込むことを防止し、ヘッドプーリーの軸が磨耗減肉し、ヘッドプーリーの側面が腐食減肉することを防止できるとともに、コンベアベルトの裏面に被乾燥物が積載することに起因する不具合を防止できる。また、ヘッドカバーの高さを超えて上昇した被乾燥物は搬送面に再び戻り、コンベア本体の終端に向けて再び搬送される。そのため、被乾燥物が無駄とならない。さらに、コンベアカバーの上縁がヘッドカバーに接触しているので、コンベアカバーの高さを超えて上昇した被乾燥物がヘッドカバーとコンベアカバーとの間に落ち込むことを防止できる。
第５発明によれば、コンベアカバーによりコンベア本体の側部と内筒管の内面との隙間が狭められるので、被乾燥物が内筒管の内面に沿って回転方向に上昇するのを促すことができる。その結果、被乾燥物の装入口方向への流動が小さくなり、装入口から漏れ出ることを抑制できる。
第６発明によれば、コンベア本体の側部と内筒管の内面との隙間が内筒管の略全長に渡って狭められるので、隙間を有する部分がより短くなり被乾燥物が内筒管の内面に沿って回転方向に上昇するのを効果的に促すことができる。その結果、被乾燥物の装入口方向への流動が小さくなり、装入口から漏れ出ることを抑制できる。
第７発明によれば、コンベア本体の上部が覆われないので、コンベアカバーの高さを超えて上昇した被乾燥物はコンベアの搬送面に再び戻り、コンベアの終端部に向けて再び搬送される。そのため、被乾燥物が無駄とならない。
【図面の簡単な説明】
【００１１】
【図１】本発明の一実施形態に係るベルトコンベアが設けられたロータリードライヤの正面図である。
【図２】図１におけるII-II線矢視断面図である。
【図３】ロータリードライヤの側面視断面図である。
【図４】銅製錬設備の概略図である。
【発明を実施するための形態】
【００１２】
つぎに、本発明の実施形態を図面に基づき説明する。
まず、ロータリードライヤについて説明する。ロータリードライヤは、ロータリースチームドライヤや、乾燥用ロータリーキルン等、回転式の乾燥機である。
【００１３】
図３に示すように、ロータリードライヤ２は、円筒形の回転胴部２０を有しており、その上流側端部の鏡板２１の略中央に、硫化精鉱などの被乾燥物Ｘを装入するための装入口２２が設けられている。装入口２２にはベルトコンベア１が挿入されており、そのベルトコンベア１により被乾燥物Ｘが搬送され、装入口２２を通り、回転胴部２０の内部に装入されるようになっている。
【００１４】
回転胴部２０はその中心軸周りに回転するため、装入された被乾燥物Ｘは回転胴部２０の側壁との摩擦により側壁に沿って回転方向に上昇し、ある程度の高さまで上昇した後に重力により落下する。これにより被乾燥物Ｘが撹拌されるとともに乾燥されていく。ここで、回転胴部２０の側壁から落下する被乾燥物Ｘが、回転胴部２０の内部に挿入されたベルトコンベア１に降り注ぐと、コンベアベルトの裏面に被乾燥物Ｘが積載される等して不具合の原因となる。そのため、回転胴部２０の内部には内筒管２３が設けられている。
【００１５】
内筒管２３はベルトコンベア１を囲むように横置きされた円筒形の部材である。内筒管２３は、装入口２２から回転胴部２０の内部に挿入されており、装入口２２側の端部が鏡板２１に固定されている。そのため、回転胴部２０の回転とともに回転する。
【００１６】
ベルトコンベア１により搬送された被乾燥物Ｘは、内筒管２３から落下して回転胴部２０の内部に装入される。内筒管２３により、回転胴部２０の側壁から落下する被乾燥物Ｘがベルトコンベア１に降り注がれることを防止できる。
【００１７】
つぎに、本発明の一実施形態に係るベルトコンベア１について説明する。
図１および図２に示すように、ベルトコンベア１はコンベア本体１１を備えている。コンベア本体１１は、複数のプーリーと、複数のプーリーを支持するフレームと、複数のプーリーに掛け回されたコンベアベルト１１ａとからなる。複数のプーリーのうち、コンベア本体１１の終端に位置するプーリーをヘッドプーリー１１ｂと称する。
【００１８】
内筒管２３に挿入されたベルトコンベア１のコンベア本体１１には、その終端部に一対のヘッドカバー１２、１２が設けられている。ヘッドカバー１２はコンベア本体１１の側部に沿って立設された板材である。一対のヘッドカバー１２、１２によりコンベア本体１１の終端部の両側部が覆われ、かつ、上部が開口した状態となる。
【００１９】
ベルトコンベア１により装入された被乾燥物Ｘは、コンベア本体１１の終端から内筒管２３の内部に落下した後に、内筒管２３の終端から回転胴部２０に落下する。内筒管２３はその中心軸周りに回転するため、装入された被乾燥物Ｘは内筒管２３の内面との摩擦により内面に沿って回転方向に上昇し、ある程度の高さまで上昇した後に重力により落下する。ここで、内筒管２３の内面から落下する被乾燥物Ｘが、内筒管２３に挿入されたコンベア本体１１に降り注ぐと、コンベアベルト１１ａの裏面に被乾燥物Ｘが積載される等して不具合の原因となる。
【００２０】
ヘッドカバー１２により、内筒管２３の内面から落下する被乾燥物Ｘがコンベア本体１１の側部から内部に入り込むことを防止できる。これにより、ヘッドプーリー１１ｂの軸が磨耗減肉し、ヘッドプーリー１１ｂの側面が腐食減肉することを防止できるとともに、コンベアベルト１１ａの裏面に被乾燥物Ｘが積載することに起因する不具合を防止できる。
【００２１】
また、ヘッドカバー１２の高さを超えて上昇した被乾燥物Ｘは、コンベアベルト１１ａの搬送面に再び戻り、コンベア本体１１の終端に向けて再び搬送される。そのため、被乾燥物Ｘが無駄とならない。
【００２２】
本願発明者は、ヘッドカバー１２と内筒管２３の内面との間に隙間があるため、この隙間から被乾燥物Ｘが回転胴部２０の外部に漏れ出るという知見を得た。そこで、コンベア本体１１の側部と内筒管２３の内面との隙間を狭め、被乾燥物Ｘが内筒管２３の内面に沿ってコンベア本体１１より上方に上昇することを促すことで、被乾燥物Ｘが排出側に送られることを促し、外部に漏れ出ることを抑制できることを見出し、以下に説明するコンベアカバー１３を着想した。なお、装入口２２から漏れ出た被乾燥物Ｘを「漏れ鉱」と称する。
【００２３】
コンベア本体１１の内筒管２３に挿入された部分には一対のコンベアカバー１３、１３が設けられている。コンベアカバー１３はコンベア本体１１の側部に沿って設けられた板材である。コンベアカバー１３の縦断面は内筒管２３の内面に沿った円弧状であり、その上縁はヘッドカバー１２の上縁に固定され、その下縁はコンベア本体１１の側部の下方（フレーム）に固定されている。そのため、コンベアカバー１３はコンベア本体１１の側部を、その上方から下方にかけて内筒管２３の内面に沿って円弧状に覆っている。また、コンベアカバー１３は、その上縁がヘッドカバー１２の上縁に接触しており、ヘッドカバー１２を外側から覆うように配置されている。
【００２４】
コンベアカバー１３と内筒管２３の内面とは、若干のクリアランスが設けられており、回転胴部２０の回転を阻害しないようになっている。このように、コンベアカバー１３はコンベア本体１１の側部と内筒管２３の内面との隙間を、内筒管２３の内面に接触することなく狭める形状を有している。
【００２５】
コンベアカバー１３は、コンベア本体１１に沿う方向に内筒管２３とほぼ同じ長さを有しており、そのほとんどあるいは全てが内筒管２３に挿入されている。
【００２６】
また、一対のコンベアカバー１３、１３は、コンベア本体１１を挟んで離れた状態で配置されており、コンベア本体１１の上部を覆わないように配置されている。
【００２７】
コンベアカバー１３の素材は特に限定されないが、硫化精鉱のような腐食性を有する被乾燥物Ｘが装入される場合にはステンレス鋼で形成されることが好ましい。コンベアカバー１３をステンレス鋼で形成すれば、腐食性を有する被乾燥物Ｘが装入されても、腐食摩耗が起きにくいからである。また、ゴムなどの弾性材で形成してもよい。
【００２８】
コンベアカバー１３によりコンベア本体１１の側部と内筒管２３の内面との隙間が狭められるので、被乾燥物Ｘが内筒管２３の内面に沿って回転方向に上昇すると、上昇の途中から内筒管２３の内面とコンベアカバー１３との間に挟まりながら上昇する。コンベアカバー１３の高さを超えて上昇した被乾燥物Ｘは、コンベアベルト１１ａの搬送面に再び戻り、コンベア本体１１の終端に向けて再び搬送される。その結果、被乾燥物Ｘの装入口２２方向への流動が小さくなり、装入口２２から漏れ出ることを抑制できる。
【００２９】
特に、本実施形態のコンベアカバー１３は、内筒管２３と略同じ長さを有し、その略全長が内筒管２３に挿入されているので、コンベア本体１１の側部と内筒管２３の内面との隙間が内筒管２３の略全長に渡って狭められる。そのため、広い隙間を有する部分がより短くなり被乾燥物Ｘが内筒管２３の内面に沿って回転方向に上昇するのを効果的に促すことができる。
【００３０】
また、漏れ鉱を抑制できることから、装入口２２の周囲への被乾燥物Ｘの飛散が減少し、環境の悪化が抑制される。
【００３１】
また、コンベアカバー１３によりコンベア本体１１の上部が覆われないので、コンベアカバー１３と内筒管２３の内面との隙間を通り、コンベアカバー１３の高さを超えて上昇した被乾燥物Ｘはコンベアベルト１１ａの搬送面に再び戻り、コンベア本体１１の終端に向けて再び搬送される。そのため、被乾燥物Ｘが無駄とならない。
【００３２】
さらに、コンベアカバー１３の上縁がヘッドカバー１２に接触しているので、コンベアカバー１３の高さを超えて上昇した被乾燥物Ｘがヘッドカバー１２とコンベアカバー１３との間に落ち込むことを防止できる。
【符号の説明】
【００３３】
１    ベルトコンベア
１１  コンベア本体
１２  ヘッドカバー
１３  コンベアカバー
２    ロータリードライヤ
２０  回転胴部
２１  鏡板
２２  装入口
２３  内筒管
【図１】
2018054219.tif 000003
【図２】
2018054219.tif 000004
【図３】
2018054219.tif 000005
【図４】
2018054219.tif 000006